【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
表示部に画像を表示する表示制御装置であって、
前記表示制御装置の向きを取得し、取得した前記向きの変化に応じて前記表示部に表示する画像を切り替えて表示する制御手段
を備えることを特徴とする表示制御装置。
【請求項２】
前記画像は、同じ被写体を異なる撮影方向から撮影した複数の画像であって、
前記制御手段は、前記複数の画像を、取得した前記向きの変化に応じて切り替えて前記表示部に表示する、
ことを特徴とする請求項１に記載の表示制御装置。
【請求項３】
前記制御手段は、前記向きが所定の基準を満たす場合に、この向きと所定の関係にある方向に対応付けられている、前記被写体以外を撮影した画像を取得して前記表示部に表示する、
ことを特徴とする請求項２に記載の表示制御装置。
【請求項４】
前記被写体は、前記制御装置の位置に応じて異なる、
ことを特徴とする請求項２又は３に記載の表示制御装置。
【請求項５】
表示端末から送信される前記表示端末の向きを受信する受信手段と、
同じ被写体を異なる方向から撮影した複数の画像と、この複数の画像それぞれについての撮影方向と、がそれぞれ対応付けて記録された対応表を参照し、前記受信手段が受信した前記向きに対応する撮影方向に対応付けられた前記画像を取得する画像取得手段と、
前記画像取得手段が取得した前記画像を前記表示端末に送信する送信手段と、
を備えることを特徴とする画像配信サーバ。
【請求項６】
表示端末であって、
表示部と、
前記表示端末の向きを取得する向き取得手段と、
前記向き取得手段が取得した前記向きを送信する送信手段と、
前記送信手段が送信した前記向きに応じて異なる画像を受信する受信手段と、
前記受信手段が受信した前記画像を前記表示部に表示する表示制御手段と、
を備えることを特徴とする表示端末。
【請求項７】
前記向きに応じて異なる画像は、同一の被写体を異なる撮影方向から撮影した画像であることを特徴とする請求項６に記載の表示端末。
【請求項８】
画像配信サーバと、前記画像配信サーバと通信可能な表示端末と、を備える画像配信システムであって、
前記表示端末は、表示部と、前記表示端末の向きを取得する向き取得手段と、前記向き取得手段が取得した前記向きを送信する表示端末側送信手段と、を備え、
前記画像配信サーバは、前記表示端末から送信される前記表示端末の向きを受信する画像配信サーバ側受信手段と、同じ被写体を異なる方向から撮影した複数の画像と、この複数の画像それぞれについての撮影方向と、がそれぞれ対応付けて記録された対応表を参照し、前記画像配信サーバ側受信手段が受信した前記向きに対応する撮影方向に対応付けられた前記画像を取得する画像取得手段と、前記画像取得手段が取得した前記画像を前記表示端末に送信する画像配信サーバ側送信手段と、を備え、
前記表示端末は、前記画像配信サーバ側送信手段が送信した前記向きに応じて異なる画像を受信する表示端末側受信手段と、前記表示端末側受信手段が受信した前記画像を前記表示部に表示する表示制御手段と、をさらに備える、
ことを特徴とする画像配信システム。
【請求項９】
表示部に画像を表示するコンピュータに、
前記表示部の向きを取得し、取得した前記向きの変化に応じて前記表示部に表示する画像を切り替えて表示する制御ステップ、
を行わせることを特徴とするプログラム。
【請求項１０】
コンピュータに、
表示端末から送信される前記表示端末の向きを受信する受信ステップと、
同じ被写体を異なる方向から撮影した複数の画像と、この複数の画像それぞれについての撮影方向と、がそれぞれ対応付けて記録された対応表を参照し、前記受信ステップで受信した前記向きに対応する撮影方向に対応付けられた前記画像を取得する画像取得ステップと、
前記画像取得ステップで取得した前記画像を前記表示端末に送信する送信ステップと、
を行わせることを特徴とするプログラム。
【請求項１１】
表示部に接続されたコンピュータに、
前記表示部の向きを取得する向き取得ステップと、
前記向き取得ステップで取得した前記向きを送信する送信ステップと、
前記送信ステップで送信した前記向きに応じて異なる画像を受信する受信ステップと、
前記受信ステップで受信した前記画像を前記表示部に表示する表示制御ステップと、
を行わせることを特徴とするプログラム。
【請求項１２】
前記向きに応じて異なる画像は、同一の被写体を異なる位置から撮影した画像であることを特徴とする請求項１１に記載のプログラム。
【手続補正２】
【補正対象書類名】明細書
【補正対象項目名】０００６
【補正方法】変更
【補正の内容】
【０００６】
本発明の第１の観点に係る表示制御装置は、
表示部に画像を表示する表示制御装置であって、
前記表示制御装置の向きを取得し、取得した前記向きの変化に応じて前記表示部に表示する画像を切り替えて表示する制御手段
を備える。
【手続補正３】
【補正対象書類名】明細書
【補正対象項目名】０００８
【補正方法】変更
【補正の内容】
【０００８】
本発明の第３の観点に係る表示端末は、
表示部と、
前記表示端末の向きを取得する向き取得手段と、
前記向き取得手段が取得した前記向きを送信する送信手段と、
前記送信手段が送信した前記向きに応じて異なる画像を受信する受信手段と、
前記受信手段が受信した前記画像を前記表示部に表示する表示制御手段と、
を備える。
【手続補正４】
【補正対象書類名】明細書
【補正対象項目名】０００９
【補正方法】変更
【補正の内容】
【０００９】
本発明の第４の観点に係る画像配信システムは、
画像配信サーバと、前記画像配信サーバと通信可能な表示端末と、を備える画像配信システムであって、
前記表示端末は、表示部と、前記表示端末の向きを取得する向き取得手段と、前記向き取得手段が取得した前記向きを送信する表示端末側送信手段と、を備え、
前記画像配信サーバは、前記表示端末から送信される前記表示端末の向きを受信する画像配信サーバ側受信手段と、同じ被写体を異なる方向から撮影した複数の画像と、この複数の画像それぞれについての撮影方向と、がそれぞれ対応付けて記録された対応表を参照し、前記画像配信サーバ側受信手段が受信した前記向きに対応する撮影方向に対応付けられた前記画像を取得する画像取得手段と、前記画像取得手段が取得した前記画像を前記表示端末に送信する画像配信サーバ側送信手段と、を備え、
前記表示端末は、前記画像配信サーバ側送信手段が送信した前記向きに応じて異なる画像を受信する表示端末側受信手段と、前記表示端末側受信手段が受信した前記画像を前記表示部に表示する表示制御手段と、をさらに備える。
【手続補正５】
【補正対象書類名】明細書
【補正対象項目名】００１０
【補正方法】変更
【補正の内容】
【００１０】
本発明の第５の観点に係るプログラムは、
表示部に画像を表示するコンピュータに、
前記表示部の向きを取得し、取得した前記向きの変化に応じて前記表示部に表示する画像を切り替えて表示する制御ステップ、
を行わせる。
【手続補正６】
【補正対象書類名】明細書
【補正対象項目名】００１２
【補正方法】変更
【補正の内容】
【００１２】
本発明の第７の観点に係るプログラムは、
表示部に接続されたコンピュータに、
前記表示部の向きを取得する向き取得ステップと、
前記向き取得ステップで取得した前記向きを送信する送信ステップと、
前記送信ステップで送信した前記向きに応じて異なる画像を受信する受信ステップと、
前記受信ステップで受信した前記画像を前記表示部に表示する表示制御ステップと、
を行わせる。